(57)【特許請求の範囲】
【請求項１】
背部を、着座した人の背もたれ荷重を受ける背もたれ板とこの背もたれ板を部分的に前方に押し出すランバーサポート機構とが備えられた構成としており、
前記ランバーサポート機構は、背もたれ板のうち主として着座した人の腰部が当たる部分を左右両側の２ヵ所において押し出す左右の押圧手段と、左右押圧手段を作動させるために人が手で操作する操作手段と、前記操作手段の操作によって左右押圧手段を強制的に同期して作動させる連結手段とを備えている、
という椅子であって、
前記左右の押圧手段は、上部又は下部を中心にして前後方向に回動することによって前記背もたれ板を前方に押し出したり戻したりするテコ式の支持アームと、この支持アームを回動中心から適宜距離だけ離れた部位において後方から支持する回転式偏心カムとを備えており、前記偏心カムの外周面には軸心からの距離が異なる複数の偏心カム面が形成されている一方、
前記連結手段は、前記左右回転式偏心カムが固定されていて水平状の軸線回りに回転し得る作動連動軸を備えており、この作動連動軸に、当該作動連動軸と前記回転式変換カムとを一方向のみに回転させるラチェットギアとが固定されており、
更に、前記操作手段は、前記作動連動軸を回転させるための回動式ハンドルを備えており、ハンドルの回動操作によって前記作動連動軸が間欠的に回転させられる、
椅子。
【発明の詳細な説明】
【０００１】
【発明の属する技術分野】
本発明は、背部を備えた椅子に関するものである。
【０００２】
【従来の技術】
椅子において、主として着座した人を腰椎に負担が掛からない正しい姿勢に保持するため、背部のうち特に腰に当たる部分を押し出すようにしたランバーサポート装置を設けることが行われている。
【０００３】
その一例として、特許第３０３８１７４号公報には、背もたれ板をバックフレーム（公報の名称では背支稈）に固定すると共に、バックフレームに、側面視前向き凸で緩く湾曲した突出部材を上下動自在に設ける一方、背もたれ板のうち前記突出部材に当たる部分を撓み変形可能とすることが記載されている。この場合、突出部材は正面視で左右中央部に配置している。
【０００４】
【発明が解決しようとする課題】
ところで、一般に背部にはクッションが張られており、背部に凭れ掛かった状態での快適さを向上するためには、クッション材によるクッション性だけでなく、背部が全体として後方に撓むように変形することによるフィット性を確保するのが好ましい。
【０００５】
しかし、前記公報のように背もたれ板の左右中間部だけを突出部材で支持した構造では、着座した人がいわば背骨を突き出されるような現象が生じて、人に違和感を感じさせる虞があった。特に、背部を後傾させたロッキング状態では、ひとの体圧が背もたれに強く作用するため、その反作用として、背骨（或いは腰椎）を突き上げられるような現象が陳著に現れることが懸念されていた。
【０００６】
この点について、本願発明者は、背もたれ板を押圧部材によって前方に押し出してランバーサポート機能を発揮させるにおいて、押圧部材を椅子の正面視で縦長中心線を挟んだ左右両側に配置して、背もたれ板が押圧部材の間で撓み変形することを許容させると、ランバーサポート機能を損なうことなくフィット性を向上できるという着想に至った。
【０００７】
本発明は、このような知見・研究を基礎にして成されたもので、身体へのフィット性を確実ならしめたランバーサポート機能付き椅子を提供することを主たる課題とするものである。
【０００８】
【課題を解決するための手段】
本願発明の椅子は、背部を、着座した人の背もたれ荷重を受ける背もたれ板とこの背もたれ板を部分的に前方に押し出すランバーサポート機構とが備えられた構成としており、前記ランバーサポート機構は、背もたれ板のうち主として着座した人の腰部が当たる部分を左右両側の２ヵ所において押し出す左右の押圧手段と、左右押圧手段を作動させるために人が手で操作する操作手段と、前記操作手段の操作によって左右押圧手段を強制的に同期して作動させる連結手段とを備えている。
【０００９】
そして、前記左右の押圧手段は、上部又は下部を中心にして前後方向に回動することによって前記背もたれ板を前方に押し出したり戻したりするテコ式の支持アームと、この支持アームを回動中心から適宜距離だけ離れた部位において後方から支持する回転式偏心カムとを備えており、前記偏心カムの外周面には軸心からの距離が異なる複数の偏心カム面が形成されている。
一方、前記連結手段は、前記左右回転式偏心カムが固定されていて水平状の軸線回りに回転し得る作動連動軸を備えており、この作動連動軸に、当該作動連動軸と前記回転式変換カムとを一方向のみに回転させるラチェットギアとが固定されている。
更に、前記操作手段は、前記作動連動軸を回転させるための回動式ハンドルを備えており、ハンドルの回動操作によって前記作動連動軸が間欠的に回転させられる。
【００１０】
【００１１】
【発明の作用・効果】
本発明によると、左右の押圧手段は同期して作動するため、使用者に違和感や不快感を与えることなく、ランバーサポート機能を確実に発揮することができる。
【００１２】
また、押圧手段を左右に配置しているため、背もたれ板が撓み変形することが許容されて、着座した人の背部（腰部）を包み込むような状態を実現できて、ランバーサポート機能を保持しつつフィット性を向上させることができる。
【００１３】
また、テコ式の支持アームをその回動中心から適宜離れた部位において偏心カムで支持するもので、支持アームの回動中心から背もたれ板の支持点までの距離を、支持アームの回動中心から偏心カムまでの距離よりも大きくすることにより、小形のカムで背もたれ板を大きく押し出すことができるため、押圧手段をコンパクト化することができる。
【００１４】
【発明の実施形態】
次に、本発明の実施形態を図面に基づいて説明する。
【００１５】
(1).概要（図１〜図５）
先ず、図１〜図５に基づいて椅子の概要を説明する。図１は右側面図、図２は正面図、図３は背面図、図４は部材の分離斜視図、図５は部分的な縦断側面図である。
【００１６】
椅子は、脚支柱（ガスシリンダ）１を立設した脚２と、座３と、肘掛け装置４と、背部５と、ヘッドレスト６とを備えている。脚支柱１の上端には上向きに開口したベース７が固定されており、ベース７の上方に正面視で翼状に広がる中間部材８と、座３とが配置されている。
【００１７】
詳細は省略するが、座３は、合成樹脂製の座板（座インナー部材）にクッションを張った構造になっており、座板の左右両側部を中間部材８に対して前後動自在に装着している。
【００１８】
中間部材８の前部と後部とには、左右一対ずつのブラケット部８ａ，８ｂを下向きに突設しており、前ブラケット部８ａを左右長手の第１軸９でベース７に連結している。第１軸９がベース７に嵌まる穴１０は前後長手の長穴になっている。
【００１９】
ベース７の前後略中間部には、揺動フレーム１１の前部が左右長手の第２軸１２によって連結されている。また、揺動フレーム１１の前後中途部には、中間部材８の後部ブラケット８ｂが左右長手の第３軸１３によって連結されている。
図４及び図５に示すように、第２軸１２のうちベース７の内部に位置した部位には弾性支持手段の一例として、左右２本のねじりばね（キックばね）１４が振り分けて配置されており、これらねじりばね１４の一端部を受け部材１５で上方から支持し、ねじりばね１４の他端には中間部材８の後部ブラケット８ｂが上方から当たっている。
【００２０】
従って、揺動フレーム１１はねじりばね１４の弾性に抗して後傾し、かつ、中間部材８及び座３は揺動フレーム１１の後傾動に連動して後傾しつつ後退する（すなわち、座３が背部５にシンクロする）。ねじりばね１４の初期弾性力は、受け部材１５に係合したつまみ１６で調節できる。
【００２１】
揺動フレーム１１は、後部に立ち上がり部１１ａを有する側面視略Ｌ字状に形成されており、本実施形態では、アルミのような軽合金（鉄のような他の金属でも良い）のダイキャストや合成樹脂の成形によって製造されている。
【００２２】
背部５は、揺動フレーム１１に取付けたバックフレーム２０（背支柱）２０と、バックフレーム２０の手前側に配置した背もたれ板（背インナー部材）２１と、バックフレーム２０の裏側に配置した裏カバー（背アウター部材）２２とを備えている。背もたれ板２１の前面にはクッション２３を張っている。
【００２３】
(2).背部の基本構造
次に、主として図６〜図１０に基づいて背部５の詳細を説明する。図６は背もたれ板２１を省略した状態での背部５の正面図、図７はクッション２３を省略した状態での縦断側面図、図８及び図９は背もたれ板２１の取付け状態を示す斜視図、図１０のうち（Ａ）は平断面図、（Ｂ）は背もたれ板２１と裏カバー２２との分離平面図である。
【００２４】
既述のとおり、背部５は、金属製のバックフレーム２０と合成樹脂製の背もたれ板２１と同じく合成樹脂製の裏カバー２２とを備えており、バックフレーム２０にランバーサポート機構２５を上下動自在に取付けている。
【００２５】
図６に示すように、バックフレーム２０は左右の縦フレーム２０ａを備えており、バックフレーム２０の左右縦フレーム２０ａの下端部は、揺動フレーム１１の立ち上がり部１１ａに設けた穴に嵌め込まれている。縦フレーム２０ａは図示しないねじで揺動フレーム１１の立ち上がり部に固定されている。
【００２６】
左右の縦フレーム２０ａは上部ステー２０ｂと下部ステー２０ｃとで連結されている。図７に示すように、上部ステー２０ｂは断面コ字状である。他方、下部ステー２０ｃは上下幅寸法がやや大きい板金製であり、その上部には、縦フレーム２０ａの延び方向と直交した方向に曲がった支持片２０ｃ′を設けている。また、下向きに開口した切欠き溝２０ｄを形成している。下部ステー２０ｃは、裏カバー２２に突設した突出部１７にねじで固定されている。
【００２７】
なお、上下のステー２０ｂ，２０ｃは他の断面形状でも良い。また、上下ステー２０ｂ，２０ｃの間に中間ステーを設けても良い。
【００２８】
例えば図６に示すように、裏カバー２２の上部には前向きに突出した左右長手の水平リブ２７を形成しており、この水平リブ２７に連設した状態で左右一対の下向き開口筒部２８が形成されており、この下向き開口筒部２８に、バックフレーム２０における縦フレーム２０ａの上端を嵌め込み、ねじ２９で固定している。
【００２９】
また、図６及び図７から理解できるように、裏カバー２２の下部でかつ左右中間部の前面には、左右のブラケット板３０を介して係止バー３１を一体に形成している。
【００３０】
また、例えば図６と図８から理解できるように、背もたれ板２１の上部には、裏カバー２２の水平リブ２７よりも上方に位置する左右長手の水平片３３を後ろ向きに突設しており、水平片３３の左右両端部に、円柱状の上取付け部３４を下向きに突設し、これを、裏カバー２２の水平リブ２７に連設した円筒状の上受け部３５に上方から嵌め込んでいる。
【００３１】
この場合、上取付け部３４と背もたれ板２１とは補強のために板状部３４ａによって一体に接続されている一方、裏カバー２２の上受け部３５には、板状部３４ａが嵌合するスリット３６を形成している。
【００３２】
また、上取付け部３４の先端には、上受け部３５の下端面に引っ掛かり係合する上係合爪３７を一体に設けている。このため、上取付け部３４を上受け部３５に嵌め込むと、背もたれ板２１は上向き抜け不能に保持される。係合爪３７を外側から内側に押しやった状態で背もたれ板２１を上向きに押し上げると、背もたれ板２１を取り外すことができる。
【００３３】
裏カバー２２の左右両側部には、背もたれ板２１の裏面に向けて突出する縦リブ３８が形成されているが、係合爪３７の箇所では縦リブ３８は高さがごく低い切り欠き部３８ａとなっていて、係合爪３７の押し曲げ操作に支障が無いように配慮されている（完全に途切れても良い）。
【００３４】
背もたれ板２１の下部には、下取付け部の一例として、バックフレーム２０と係止バー３１との間に上方から嵌まり込む下部係合爪３９を一体に形成している。下部係合爪３９は、背もたれ板２１が手前側に移動し得るように上下方向に長く延びており、その下端は、係止バー３１に引っ掛かる爪３９ａが形成されている。この爪３９ａにより、背もたれ板２１の前向き移動限度が規制される。
【００３５】
また、図９に示すように、背もたれ板２１には下係合爪３９の上部を囲うようなスリット４０が形成されており、このため、下係合爪３８を前後移動させるように容易に変形させることができる。背もたれ板２１の上昇動に際して下部係合爪３９がバックフレーム２０の下部ステー２０ｃに干渉しないように、下部ステー２０ｃには前記したように切欠き溝２０ｄが形成されている。
【００３６】
背もたれ板２１を取付ける場合は、先に下部係止爪３９を停止バー３１と裏カバー２２との間に挿入してから、上部取付け部３４を裏カバー２２の上受け部３５に弾性に抗して嵌め込むことになる。取り外しは逆の手順で行う。
【００３７】
背もたれ板２１の背面と下部係合爪３９との間の間隔はバックフレーム２０における下部横長部材２０ｃの直径よりも大きいため、背もたれ板２０がその下部において前後動することが許容されており、このため、背もたれ板２０は側面視でも撓み変形が可能になっており、その結果、着座した人に対するフィット感が高い利点がある。
【００３８】
ヘッドレスト６は左右の支柱４２を備えており、左右の支柱４２は、図１０に示すように、裏カバー２２の水平リブ２７に形成した受け筒部４５に差し込まれている。また、支柱４２の下端は、バックフレーム２０における下部ステー２０ｃの支持片２０ｃ′に形成された穴（図示せず）に差し込まれている。
【００３９】
(3).ランバーサポート機構の構造
次に、主として図１１以下の図面を参照してランバーサポート機構２５について説明する。図１１は正面図、図１２は部分的な斜視図、図１３は部分的な一部破断正面図、図１４は図１３のXIV-XIV 視断面図、図１５は図１３のXV−XV視断面図、図１６は図１３の XVI-XVI視断面図、図１７は図１３の XVII-XVII平断面図である。
【００４０】
ランバーサポート機構２５は、バックフレーム２０の縦フレーム２０ａに上下動自在に装着したスライダー４５と、左右のスライダー４５を一体に連結する連結板（連結部材）４６と、スライダー４５に設けた支持アーム４７（押圧手段を構成している）と、水平状に延びる操作連動軸４８と、操作手段の一例としてのハンドル４９とを備えている。
【００４１】
例えば図１２に示すように、スライダー４５の内部には合成樹脂製の２つ割り式のスライド促進体５０が装着されている。また、図１４や図１５に示すように、スライド促進体５０には、裏カバー２２のリブ５２に当接する撓み爪５１を設けている。撓み爪５１は、その弾性変形により、リブ５２に接近・離脱する方向に移動可能になっている一方、リブ５２には切欠き（鋸歯状等の連続式凹凸を形成しても良い）５２ａを適宜間隔で形成している。
【００４２】
従って、スライダー４５に対して上向き又は下向きのある程度の力を掛けると、撓み爪５１を弾性変形させてランバーサポート機構２５を上下動させることができ、かつ、上下方向の外力がなくなると、ランバーサポート機構２５はその高さに停止する。これにより、身長の違いに関係なく、着座した人の腰を的確に支持することができる。
【００４３】
スライダー４５及びスライド促進体５０には、操作連動軸４８の左右端部が回転可能に貫通している。操作連動軸４８は左右スライダー４５の間でクランク状に曲げられており、図１８（Ｃ）に示すように、操作連動軸４８のクランク部を連結板４６に当てることにより、一方方向の回転限度が規制されている。
【００４４】
例えば図１７に示すように、スライダー４５の左右側面部には、平断面略コ字状で上下に延びる受けケース５３が固定されており、この受けケース５３に、平断面略コ字状で後ろ向きに開口した前記支持アーム４７が前方から被さっている。そして、支持アーム４７の上部に前記操作連動軸４８の左右端部が貫通している。換言すると、支持アーム４７は操作連動軸４８によって回動自在に軸支されている。
【００４５】
従って、支持アーム４７は操作連動軸４８を中心にして回動する。操作連動軸４８の端部は受けケース５３に貫通しており、受けケース５３は操作連動軸４８に対する軸受けの役割を果たしている。
【００４６】
受けケース５３の上下中途部には、連結手段を構成する作動連動軸（共通支軸）５４が貫通しており、作動連動軸５４のうち受けケース５３の内部に位置した部位に、ラチェットギア（歯車）５５と偏心カム５６とが一体に固定されている。従って、作動連動軸５４とラチェットギア５５と偏心カム５６とは一体に回転する。
【００４７】
受けケース５３は左右に２個配置されているが作動連動軸５４は１本である。従って、左右２個ずつのラチェットギア５５と偏心カム５６とは強制的に同期して回転することになる。図１６に示すように、操作連動軸５４は、連結板４６にねじ止め等によって設けた受け部材６３で支持されている。
【００４８】
また、連結板４６には、受け部材６３を介して板ばね６４が押さえ固定されており、この板ばね６４により、操作連動軸４８のクランク部４８ａを押さえている。
【００４９】
図１５に示すように、偏心カム５６の外周面で支持アーム４７を支持するようになっているが、偏心カム５６の外周面に軸心からの距離が異なる複数（６個）の偏心カム面５６ａを形成している。従って、偏心カム５６が回転すると、支持アーム４７が回動する。支持アーム４７のうち偏心カム５６が当たる部分４７ａは、強度を確保するため厚肉になっている。
【００５０】
図１５から理解できるように、支持アーム４７の支持状態が４段階に切り変わるようになっているが、この場合、偏心カム５６の偏心カム面５６ａは作動連動軸５４の軸心方向から見て対称状に形成されており、このため、偏心カム５６が一方向に回転すると、支持アーム４７の回動角度は段階的に大きくなってから、ピークを過ぎると段階的に小さくなる（つまり、支持アーム４７の回動角度が急激に変化することはない）。
【００５１】
支持アーム４７の下端には、背もたれ板２１の背面に当たる紡錘状のローラ５７を設けている。また、図７に示すように、背もたれ板２１のうちローラ５７が当たる部分の周辺図にはスリット５８の群を多段に形成している。これは、背もたれ板２１の変形を容易ならしめるためである。
【００５２】
図１４や図１５に示すように、受けケース５３の内部には、操作連動軸４８の端部にキー式係合等によって固定されたシーソー式回動部材５９が配置されており、回動部材５９に、ラチェットギア５５に噛合する爪材６０を摺動自在に取付けている。従って、回動部材５９を回動させるとラチェットギア５５と偏心カム５６とが回転する。
【００５３】
この場合、回動部材５９を図１４の矢印方向に回動させるとラチェットギア５５が右側面視で反時計回り方向のみに間欠的に回転するように、ラチェットギア５５の歯を非対称台形状に形成し、かつ、受けケース５３に、ラチェットギア５５の逆転を阻止する弾性ストッパー６１を取付けている。従って、ラチェットギア５５と支持アーム５６とは一方向にのみ回転する。
【００５４】
左右の回動部材５９はハンドル４９の左右端部にねじ６２で固定されている。ハンドル４９は裏カバー２２を後ろ側から覆うように形成されている。また、ハンドル４９の左右端部に立ち上がり部４９ａを設け、立ち上がり部４９ａの上端が回動部材５９にねじで固定されている。ハンドル４９と裏カバー２２との間には、当該ハンドル４９を人が握ったり、ハンドル４９に服やタオルなどを掛けたりすることのできる程度の空間が空いている。
【００５５】
前記したように、操作連動軸４８のクランク部４８ａは板ばね６４で押さえられているため、回動部材５９（及びハンドル４９）も、板ばね６４の弾性力によって図１４の矢印と反対方向に回動し勝手に付勢されている。
【００５６】
(4).ランバーサポート機構の動き
ハンドル４９を手で持って手前側に回動させると、回動部材５９が回動して偏心カム５６が一方向に間欠的に回転するため、すなわち、偏心カム５６はロータリー式になっているため、支持アーム４７が回動することによって背もたれ板２１を少しずつ押すことができ、これにより、背もたれ板２１のうち主として人の腰に当たる部分を段階的に突出させることができる。
【００５７】
この場合、実施形態では支持アーム４７の押し出し状態を４段階に変えることができるが、偏心カム５６のカム面５６ａが対称状に形成されているため、背もたれ板２１を最大突出位置まで押し出してから次にハンドル４９を回動させると、背もたれ板２１は２番目に大きい突出位置に後退し、更にハンドル４９を回動操作すると、次の低い段階に変化する。すなわち、背もたれ板２１の突出（前進）量が少しずつ変化する。このため、着座した人が背部５にもたれ掛かった状態でハンドル４９を操作しても、着座した人に衝撃が掛かることはない。
【００５８】
ハンドル４９を手で持ってある程度の力を掛けて上下方向に押し引きすると、前記した撓み爪５１と溝５２ａとの作用により、ランバーサポート機構２５を上下動させることができる。
【００５９】
本実施形態のようにハンドル４９の左右端部に立ち上がり部（端部から見ると垂下部となる）４９ａを設けると、着座した状態でハンドル４９を簡単に掴むことができるため、着座した状態のままでランバーサポート機構２５の高さ調節や突出量調節を簡単に行うことができる利点がある。
【００６０】
前記特許第３０３８１７４号の場合、背もたれ板の左右中間部が突起で支持されているため、背もたれ板が撓み変形することは殆どなく、このためフィット性に乏しいという問題があるが、本実施形態では、背もたれ板２１の左右両端部を支持アーム４７で押し出すものであるため、背もたれ板２１は平面視で後ろ向きに突出するように撓み変形することができ、このため、フィット性とクッション性とに優れている。
【００６１】
また、左右のラチェットギア５５と偏心カム５６との対を作動連動軸５４によって強制的に連動させているので、例えば片手だけでハンドル４９を操作したために一方の側の回動土材５９だけに力が強く掛かったような場合でも、左右の支持アーム４７は同期して確実に回動することになり、このため、ランバーサポート機能を確実に発揮することができる。
【００６２】
(5).実施形態の利点
本実施形態のように、裏カバー２２と背もたれ板２１とのうち少なくともいずれか一方に水平リブ２７又は水平片３３を設けると、内部に物が落ち込むことを防止できる利点がある。
【００６３】
また、左右縦リブ３８の切り欠き部３８ａは、縦リブ３８がハンドル４９の水平端部４９ｂと干渉しないように、ハンドル４９の水平端部４９ｂが上下動する範囲に延びている。このようにすると、ハンドル４９の上下動操作機能を損なうことなく、背もたれ板２１と裏カバー２２との間の空間が外側に過度に露出することを防止して、体裁を向上できる。
【００６４】
ところで、図６に示すように人が指Ｆをリブ３８の切欠き３８ａに差し込むことがないとも言えない。この場合、ハンドル４９を高い位置から低い位置に下降させるときに、このような指詰めが生じると予想される。
【００６５】
その場合、指Ｆを、切欠き３８ａの下端縁とハンドル４９との間に挟む虞がないとも言えない。この点について、図６及び図１２に一点鎖線で示すように、支持アーム４７の外側面に、正面視で斜め下向きに傾斜したガイドリブ６５を形成すると、ハンドル４９が下降するに際して、ガイドリブ６５によって指先Ｆを外側に押しやることができるため、指を挟むことを防止できる。
【００６６】
もちろん、ハンドル４９を下降し切った状態で、当該ハンドル４９の下方に指先を保持できる隙間が残るように切欠き３８ａを形成しても良いのである。
【００６７】
ローラ５７を支持アーム４７に取付けるに当たっては、支持アーム４７の左右側板に形成したくびれ状穴に、ローラ５７の左右両端部に形成した頭付きボス５７ａを強制的に嵌め込んでおり、このため、ローラ５７をワンタッチ的に取付けることができる。
【００６８】
なお、必ずしもローラ５７を設ける必要はなく、支持アーム４７を背もたれ板２１に当てるだけでも良いが、ローラ４７を使用すると上下高さ調節をスムースに行える。
【００６９】
本実施形態のように、てこ式の支持アーム４７の上下中途部位を偏心カム５６で支持すると、ローラ５７の前後移動寸法は、偏心カム５６の偏心寸法（回転中心から各カム面５６ａまでの距離の差）よりも増幅されるため、コンパクトな構造でありながら（すなわち小型の偏心カム５６を使用したものでありながら）、背もたれ板２１を大きく押し出すことができる。
【００７０】
ところで、回動部材５９によってギア５５を確実に回転させるには、回動部材５９を大きく回動させる必要があるが、回動部材５９が図１４の矢印方向に回動し切った状態から原点姿勢に完全に戻っていないと、ハンドル４９を操作してもギア５５が回転しない状態が発生する虞がある。
【００７１】
この点については、板ばね６４のようなばね手段により、操作連動軸４８のような作動部材を一定方向に付勢しておくと、回動部材５９及びハンドル４９のような操作部材が原点姿勢に強制的に戻されるため、ハンドル４９等の操作部材の操作を確実化することができる。ばね手段としては板ばねには限らず、キックばね（鶴巻ばね）やコイルばね、或いはゴム等の弾性体などを使用しても良い。
【００７２】
(6).その他
本発明は上記の実施形態の他にも様々に具体化できる。例えばバックフレーム２０はその全体を板金製にしたりするなど様々の形態・構造を採用できる。バックフレーム２０と揺動ハンドルとを一体化しても良いのである。
【００７３】
裏カバー及び背もたれ板も、デザイン等の必要に応じて様々に具体化することができる。ランバーサポート機構を設ける場合、その構造は図示のものに限定されるものではなく、例えば背部の片側だけにハンドルを設けるなど、様々に具体化することができる。
【００７４】
【００７５】
本実施形態のように支持アームを設けている場合、左右の支持アームを棒状や板状等の連結部材で一体に連結することにより、左右の支持アームが確実に同期して回動するように構成することも可能である。また、作動連動軸は板状でも良い。
【００７６】
また、背もたれ板は左右２ヶ所で支持する必然性は必ずしもなく、例えば左右２ヶ所と中央部の１ヶ所との３ヶ所で支持するなどして、３ヶ所を支持する３つの押圧部材を強制的に同期させることも可能である（この場合、身体に対する背もたれ板のフィット性の点からは、中央の押圧部材が弾性に抗して前後動するのが好ましい）。
【００７７】
また、ランバーサポート装置は昇降式である必然性はなく、高さが一定であっても良い。
【００７８】
背部の構造は背もたれ板にクッションを張った構造である必要はなく、背もたれ板のみでクッションを備えていない形態や、背もたれ板が存在しなくてクッションが直接に押圧部材で支持される構造なども考えられる。
【図面の簡単な説明】
【図１】本発明に係る椅子の右側面図である。
【図２】椅子の正面図である。
【図３】背面図である。
【図４】部材の分離斜視図である。
【図５】部分的な縦断側面図である
【図６】背もたれ板を省略した状態での背部の正面図である。
【図７】クッションを省略した状態での縦断側面図である。
【図８】背もたれ板の取付け状態を示す斜視図である。
【図９】背もたれ板の取付け状態を示す斜視図である。
【図10】（Ａ）は平断面図、（Ｂ）は背もたれ板と裏カバーとの分離平面図である。
【図11】ランバーサポート機構の正面図である。
【図12】部分的な斜視図である。
【図13】部分的な一部破断正面図である。
【図14】図１３のXIV-XIV 視断面図である。
【図15】図１３のXV−XV視断面図である。
【図16】図１３の XVI-XVI視断面図である。
【図17】図１３の XVII-XVII平断面図でる。
【符号の簡単な説明】
５  背部
７  ベース
１１  揺動フレーム
２０  バックフレーム
２１  背もたれ板
２２  裏カバー
２５  ランバーサポート機構
４５  スライドケース
４６  連結板
４７  支持アーム
４８  操作連動軸
４９  ハンドル
５４  作動連動軸
５５  ラチェットギア
５６  偏心カム
５７  ローラ
【図１】
0004036437.tif 000002
【図２】
0004036437.tif 000003
【図３】
0004036437.tif 000004
【図４】
0004036437.tif 000005
【図５】
0004036437.tif 000006
【図６】
0004036437.tif 000007
【図７】
0004036437.tif 000008
【図８】
0004036437.tif 000009
【図９】
0004036437.tif 000010
【図１０】
0004036437.tif 000011
【図１１】
0004036437.tif 000012
【図１２】
0004036437.tif 000013
【図１３】
0004036437.tif 000014
【図１４】
0004036437.tif 000015
【図１５】
0004036437.tif 000016
【図１６】
0004036437.tif 000017
【図１７】
0004036437.tif 000018